(57)【要約】  計器ループアダプタ（１３１、２００、３００、３３０、３５０、３６０、３８０、４００、５００）は、小型プロセス変量トランスミッタ（１００、１３２）のヘッダ（１０６）に結合するように構成されたインターフェース部（１４０）を含む。一部の実施態様では、インターフェース部（１４０）は規格化ケーブル出力部（２０２）を含む。他の実施態様では、ケーブル部（１４１）がインターフェース部に結合されている。さらなる機能性がインターフェース部（１４０）、ケーブル部（１４１）又はそれらの両方で提供される。さらなる機能性は、プロセス変量トランスミッタ（１００、１３２）には存在しない特徴を提供する回路を含むことができる。
2008524807.tif 000002
【特許請求の範囲】
【請求項１】
プロセス変量トランスミッタをループに結合するための計器ループアダプタであって、
プロセス変量トランスミッタのヘッダと係合するように適合されたインターフェース部と、
インターフェース部内に設けられ、能動回路をその上に有する回路板と
を含む計器ループアダプタ。
【請求項２】
能動回路がセンサ入力回路である、請求項１記載の計器ループアダプタ。
【請求項３】
センサ入力回路がＲＴＤ入力回路である、請求項２記載の計器ループアダプタ。
【請求項４】
センサ入力回路がアナログ・デジタル変換器を含む、請求項２記載の計器ループアダプタ。
【請求項５】
インターフェース部に結合されたケーブル部をさらに含み、ケーブル部がループ接続を形成する、請求項１記載の計器ループアダプタ。
【請求項６】
インターフェース部がプロセス工業規格ケーブル出力を含む、請求項１記載の計器ループアダプタ。
【請求項７】
能動回路がマイクロプロセッサを含む、請求項２記載の計器ループアダプタ。
【請求項８】
インターフェース部に結合されたケーブル部をさらに含み、ケーブル部がループ接続を形成する、請求項７記載の計器ループアダプタ。
【請求項９】
能動回路がディスプレイを含む、請求項２記載の計器ループアダプタ。
【請求項１０】
インターフェース部に結合されたケーブル部をさらに含み、ケーブル部が、ループに結合するための導体をその中に有する、請求項９記載の計器ループアダプタ。
【請求項１１】
能動回路が多数のタイプの出力を提供する、請求項２記載の計器ループアダプタ。
【請求項１２】
インターフェース部に結合されたケーブル部をさらに含み、ケーブル部が、ループに結合するための導体をその中に有する、請求項１１記載の計器ループアダプタ。
【請求項１３】
回路が、第一の工業規格プロトコルにしたがってプロセス変量トランスミッタと通信し、第二の工業規格プロトコルにしたがってループ上で対話する、請求項１１記載の計器ループアダプタ。
【請求項１４】
能動回路がローカル出力を提供する、請求項２記載の計器ループアダプタ。
【請求項１５】
インターフェース部に結合されたケーブル部をさらに含み、ケーブル部が、ループに結合するための導体をその中に有する、請求項１４記載の計器ループアダプタ。
【請求項１６】
能動回路がローカルユーザ入力に結合されている、請求項２記載の計器ループアダプタ。
【請求項１７】
インターフェース部に結合されたケーブル部をさらに含み、ケーブル部が、ループに結合するための導体をその中に有する、請求項１６記載の計器ループアダプタ。
【請求項１８】
インターフェースが、プロセス変量トランスミッタのヘッダと係合するためのねじ部を含む、請求項１記載の計器ループアダプタ。
【請求項１９】
インターフェース部が、円柱形側壁とそれに嵌合するように適合されたキャップとを含む、請求項１記載のループアダプタ。
【請求項２０】
円柱形側壁及びキャップの少なくとも一方が柔軟な外側層を含む、請求項１９記載の計器ループアダプタ。
【請求項２１】
柔軟な外側層がエラストマーで形成されている、請求項２０記載の計器ループアダプタ。
【請求項２２】
回路板がオーバーモールディングされており、オーバーモールディングが計器ループアダプタのチャンバ内で気密シールを形成する、請求項１記載の計器ループアダプタ。
【請求項２３】
セルフシール性配線引込み口をさらに含む、請求項１記載の計器ループアダプタ。
【請求項２４】
プロセス変量トランスミッタをループに結合するための計器ループアダプタであって、
プロセス変量トランスミッタのヘッダと係合するように適合されたインターフェース部と、
インターフェース部内に設けられ、固有の安全回路を有する回路板と
を含む計器ループアダプタ。
【請求項２５】
インターフェース部に結合されたケーブル部をさらに含み、ケーブル部が、ループに結合するための導体をその中に有する、請求項２４記載の計器ループアダプタ。
【請求項２６】
インターフェースが、プロセス変量トランスミッタのヘッダと係合するためのねじ部を含む、請求項２４記載の計器ループアダプタ。
【請求項２７】
プロセス変量トランスミッタをループに結合するための計器ループアダプタであって、
プロセス変量トランスミッタのヘッダと係合するように適合されたインターフェース部と、
インターフェース部に結合され、ループに結合するための導体をその中に有するケーブル部と、
ケーブル部内に設けられ、高められた機能性を提供する回路をその上に有する回路板
を含む計器ループアダプタ。
【請求項２８】
回路がセンサ入力回路を含む、請求項２７記載の計器ループアダプタ。
【請求項２９】
回路が固有の安全回路を含む、請求項２７記載の計器ループアダプタ。
【請求項３０】
回路がマイクロプロセッサを含む、請求項２７記載の計器ループアダプタ。
【請求項３１】
回路がローカル出力に結合され、ローカル出力を駆動する、請求項２７記載の計器ループアダプタ。
【請求項３２】
ローカル出力が液晶ディスプレイである、請求項３１記載の計器ループアダプタ。
【請求項３３】
回路がローカル入力に結合されている、請求項２７記載の計器ループアダプタ。
【請求項３４】
ローカル入力が少なくとも１個のボタンを含む、請求項３３記載の計器ループアダプタ。
【請求項３５】
回路が多数のタイプの出力を提供する、請求項２７記載の計器ループアダプタ。
【請求項３６】
インターフェースが、プロセス変量トランスミッタのヘッダと係合するためのねじ部を含む、請求項２７記載の計器ループアダプタ。
【請求項３７】
プロセス変量トランスミッタを計器ループに結合する方法であって、
能動回路を中に有する、計器ループアダプタのインターフェース部を設けることと、
インターフェース部をプロセス変量トランスミッタのヘッダに結合することと
を含む方法。
【請求項３８】
プロセス変量トランスミッタをループに結合するための計器ループアダプタであって、
プロセス変量トランスミッタのヘッダと脱着可能に係合してそれとでシールされた結合を提供するように適合されたインターフェース部と、
プロセス変量トランスミッタのヘッダへの電気接続を提供するように構成された、インターフェース部中の電気コネクタと、
ループへの電気接続を提供するように構成されたループ接続と、
インターフェース部内に設けられ、能動回路をその上に有する回路板と
を含む計器ループアダプタ。
【発明の詳細な説明】
【技術分野】
【０００１】
発明の背景
工業プロセス、たとえば精油所、化学処理プラントなどにおける工業プロセスの運転をモニタするためにはプロセス変量トランスミッタが使用される。圧力トランスミッタのようなプロセス変量トランスミッタは、通常、流体処理プラント中、液体、粉塵及び湿気ならびに種々の工業汚染物質が存在するおそれのある場所に設置される。一部の環境では、酸又は塩基溶液のようなプロセス液体が存在することもある。また、液体としては、プラント設備を清浄するために使用されるホースからの噴霧を挙げることもできる。液体は、プロセストランスミッタ及びその電気接続に滴下、液飛び又は噴霧化することがある。環境中の粉塵、湿気及び液体は、プロセストランスミッタへの電気接続を汚染し、劣化させるおそれがる。
【０００２】
プロセストランスミッタは、シールされた配線コンパートメントで装着されることが多く、この配線コンパートメントをシールされた電気導管と接続すると、ループ配線及び電気接続を汚染物質による劣化から保護することができる。しかし、ヘッダ型コネクタを使用する小型化プロセストランスミッタの場合、ヘッダ中の露出した電気接続ピンを汚染物質から保護するためのシールされた配線コンパートメントはない。
【０００３】
プロセス変量トランスミッタ上のヘッダ中の接続ピンに接続することができ、コスト高でかさばる配線コンパートメントを追加することなく接続ピン及び配線を汚染物質から保護することができる計器ループアダプタが提供されている。公知の環境的にシールされたループアダプタ、たとえばFandreyらのループアダプタ（米国特許第６，５１１，３３７号）が、効果的なシールされた解決手段を提供する。場合によっては、Fandreyらの環境的にシールされたループアダプタは、さらなる機能性、たとえばＲＦＩ／ＥＭＩフィルタを含む。ループアダプタのこのさらなる機能性は有用であることがわかっているが、計器及びループアダプタを適用することができる広範なさらなる用途に対処する必要がある。新たな機能及び／又は特徴をループアダプタに提供することが、有意な範囲の種々の用途に対処することに役立つであろう。
【０００４】
発明の概要
計器ループアダプタは、小型プロセス変量トランスミッタのヘッダに結合するように構成されたインターフェース部を含む。一部の実施態様では、インターフェース部は規格化されたケーブル出力部を含む。他の実施態様では、ケーブル部がインターフェース部に結合されている。さらなる機能性がインターフェース部、ケーブル部又はそれらの両方で提供される。さらなる機能性は、プロセス変量トランスミッタには存在しない特徴を提供する回路を含むことができる。
【０００５】
例示的な実施態様の詳細な説明
電気アダプタがプロセス変量トランスミッタをマルチワイヤ計器回路に接続する。アダプタは、接続ピン、ソケット及びループワイヤを、プロセス変量トランスミッタに、噴霧、滴下又は液飛びする液体ならびに粉塵、湿気及び他の汚染物質による損傷から保護する。アダプタは、トランスミッタへの任意のタイプの電気接続、たとえば２ワイヤループ又はデジタルデータ接続を提供するために使用することもできる。アダプタは、以下さらに詳細に述べるさらなる特徴及び／又は機能性を含む。
【０００６】
図１は、差圧トランスミッタ１００の断面図である。トランスミッタ１００は、アダプタ（図１には示さず）を使用して計器回路への接続を行うことができるプロセス変量トランスミッタの一例である。
【０００７】
トランスミッタ１００は、電気コネクタヘッダ１０６にシールされた外壁１０４を有する小型トランスミッタハウジング１０２を含む。トランスミッタハウジング１０２は、アイソレータダイアフラム１１０を含む同じ平面上の２個の流体入口１０８を含む。通路中にシールされたアイソレータ流体１１２が入口１０８からの差圧をトランスミッタ１００中の静電容量式差圧センサ１１４に送信する。
【０００８】
プロセス変量トランスミッタ１００は、円柱形の外側シェル又はヘッダ１０６を備えたシールされたフィードスルー電気コネクタ１１６と、電気接点又はピン１２０を備えたシールされた絶縁フィードスルー１１８とを含む。ヘッダ１０６は雄ねじ１０７を有する。２個以上の接続ピン１２０がループデータを運んでプロセス変量トランスミッタ１００とで通信する。
【０００９】
回路板１２２が圧力センサ１１４に電気的に接続し、圧力センサ１１４からのデータを処理し、接続ピン１２０上のループ電流を制御して入口１０８における差圧の表示を提供する。圧力は、４〜２０mAアナログ電流として表すこともできるし、多様な公知のデジタルプロトコル、たとえばHART、CAN、Foundationフィールドバス、Profibusプロトコル及び流体プロセス制御産業で公知の他のデジタル通信プロトコルのいずれかで表すこともできる。
【００１０】
外壁１０４が、好ましくは、円形の溶接継ぎ目１２４に沿ってヘッダ１０６と溶着されて、ハウジング１０２の内側にシールされたキャビティ１２６を形成している。絶縁フィードスルー１１８中には、管１２８をシールして小型差圧トランスミッタ１００中にシールされたキャビティ１２６の気密シールを提供する前に漏れを試験するための毛管１２８が設けられている。
【００１１】
図１に示すトランスミッタ１００は、フィールドで計器回路への接続を行うためのシールされた配線コンパートメントを含まない小型トランスミッタである。接続ピン１２０及び絶縁フィードスルー１１８はプロセス変量トランスミッタ１００の外側に露出し、汚染物質、たとえば流体処理プラント環境で噴霧される、滴下される又はこぼれる粉塵、湿気又は液体との望まれない接触にさらされている。
【００１２】
図２は、プロセス変量トランスミッタのヘッダに結合された計器ループアダプタの図である。計器ループアダプタ１３１は、図２では、ヘッダ１３２に結合された状態で示されている。アダプタ１３１は、インターフェース部１４０及びケーブル部１４１を有するケーブルアセンブリ１３５の形態で具現化されている。インターフェース部１４０は、ヘッダ１３２に結合する、好ましくは螺合によって結合するように構成されている。したがって、ヘッダ１３２が雄ねじ面を有する実施態様では、インターフェース部１４０は、ヘッダ１３２の雄ねじに係合するのに適当な雌ねじ部を有する。
【００１３】
回路板１４２は、インターフェース部１４０内に設けられ、多数の適当な電気コンポーネント１４４、１４６を含む。コンポーネント１４４、１４６は、導体１４８、１５０によってそれに結合された計器ループと対話することもでき、及び／又は、ヘッダ１３２を介してそれに結合されたプロセス変量トランスミッタと対話することもできる。回路板１４２上の回路１４４、１４６は、プロセス変量トランスミッタの運転及び／又はメンテナンス中に有用である一つ以上のさらなる機能を提供するために使用することができる。
【００１４】
図３は、本発明のもう一つの実施態様の計器ループアダプタの図である。ループアダプタ２００は、対応するケーブルアセンブリとともに示されてはいない。その代わりに、ループアダプタ２００は、プロセス変量トランスミッタのヘッダ１３２に結合し、規格化ケーブル出力２０２を提供する。出力２０２は、多数の適当なケーブルインターフェースの一つである。アダプタ２０２は、好ましくは、米国特許第６，５１１，３３７号でさらに詳細に記載されているように、環境シールをヘッダ１３２に提供する。アダプタ２０２はまた、回路コンポーネント２０４が上に設けられた回路板１４２を含む。図２に関して説明したように、回路板１４２上のコンポーネント２０４は、アダプタ１３１に関して上記で挙げた機能及び／又は回路のいずれかを提供することができる。計器ループアダプタ１３１及び２００は、それらがいずれもプロセス変量トランスミッタヘッダ１３２の雄ねじ２１０に結合するという意味で類似している。
【００１５】
図４は、本発明の実施態様の、能動回路を有する計器ループアダプタの図である。計器ループアダプタ１３１は、参照番号３０２で示すように、プロセス変量トランスミッタに結合している。プロセスループ３０４がアダプタ３００に物理的に結合している。基板１４２上の能動回路３０６がループ３０４に電気的に結合している。図４は、ループ３０４に並列に結合された回路３０６を示すが、能動回路３０６は直列に配置されることもできるということが明示的に考えられる。本明細書で使用する能動回路３０６とは、電力を使用する任意の電子回路である。したがって、能動回路３０６は、受動回路、たとえば抵抗器及びコンデンサならびにそのような素子の組み合わせ、たとえば受動フィルタから区別可能である。能動回路３０６は、単一の能動回路コンポーネントであることもできるし、コンポーネントの組み合わせであることもできる。コンポーネントの組み合わせ中の１個のコンポーネントが能動的である限り、その組み合わせは能動的とみなされる。能動回路３０６は電力を使用するため、電源に結合されなければならない。そのような電力は、ループによって、プロセス変量トランスミッタによって、又は外部電源によって提供することができる。
【００１６】
図５は、本発明の実施態様の、さらなるセンサ入力回路を有する計器ループアダプタの図である。アダプタ３００は、参照番号３０２で示すように、プロセス変量トランスミッタ１００に結合している。アダプタ３００はまた、ループ３０４に電気的に結合している。アダプタ３３０は、ループ３０４から受けた電力を使用して基板１４２上のすべての能動コンポーネントに適当な電力を提供する電源供給回路３０８を含む。アダプタ３３０はまた、同じくループ３０４に結合しているそれ自体のループコミュニケータ３１０を含む。この配設は、アダプタ３３０が、それが接続されているプロセス変量トランスミッタ１００から独立して、ループ３０４を介して通信することを可能にする。好ましくはマイクロプロセッサである制御装置３１２がループコミュニケータ３１０に結合している。制御装置３１２はまた計測回路３１４に結合し、この計測回路はさらなるセンサ入力３１６に結合している。入力３１６は、アダプタ３３０上、プロセス変量トランスミッタ１００上又は他の適当な場所に配置することができる。所望により、いかなる適当なセンサを入力３１６に結合してもよい。
【００１７】
一つの実施態様では、入力３１６は温度センサ入力であり、温度センサ、たとえばＲＴＤを受信する。計測回路３１４は、センサの特性を示す信号を生成するように適合されている。たとえば、ＲＴＤ実施態様では、回路３１４は、ＲＴＤを通して小さな電流を駆動し、ＲＴＤをはさんでの結果的な電圧低下を計測する。望むならば、計測回路３１４はまた、アナログ表現（すなわち感知した電圧）をそのデジタル表現に変換することができるアナログ・デジタル変換器を含むことができる。計測回路３１４は、センサ応答の指示を制御装置３１２に提供する。一つの実施態様では、制御装置３１２は、計測回路３１４からの指示を使用して、プロセス変量トランスミッタの信号を、入力３１６に結合されるセンサの応答に基づいて、調節又は他のやり方で補正する。したがって、プロセス変量トランスミッタ１００が圧力トランスミッタであり、圧力センサ出力が温度とともに変動することができる実施態様では、アダプタ３３０を使用して、温度が変動するときの出力を容易に調節することができる。この構造は、予測可能なやり方で計測し、調節することができるパラメータによってプロセス変量トランスミッタが影響を受ける、プロセス変量トランスミッタとセンサとのいかなる組み合わせの場合にも有利である。
【００１８】
図６は、本発明の実施態様の計器ループアダプタ３５０の図である。計器ループアダプタ３５０は、固有の安全バリヤ回路３５２を上に有する回路板１４２を含む。バリヤ回路３５２は一般に、故障タイプ事象に応答して、プロセス変量トランスミッタから流れることが可能なエネルギーの量を制限する。固有の安全回路は公知であり、一般に、障害状態中のエネルギーの流れを制限するように機能する。固有の安全性に関するさらなる詳細は、１９８８年１０月に公表された「Intrinsically Safe Apparatus and Associated Apparatus for Use in Class I, II and III, Division 1 Hazardous (Classified) Locations」と題するFactory Mutual認可規格で述べられている固有の安全規格に見いだすことができる。
【００１９】
図７は、本発明の実施態様の計器ループアダプタ３６０の図である。計器ループアダプタ３６０は、図５に関して説明した計器ループアダプタ３３０とでいくつかの類似点を有する。しかし、計器ループアダプタ３６０はセンサ入力を含まない。代わりに、ループアダプタ３６０は、計器ループ３０４に結合され、通信モジュール３６４及び制御装置３６６に電力を提供するように適合された電源モジュール３６２を含む。通信モジュール３６４は、計器ループ３０４に結合され、その上で、好ましくは標準プロセス工業通信プロトコル、たとえばHART（登録商標）又はFOUNDATION（商標）フィールドバスを使用して通信するように適合されている。制御装置３６６は、好ましくは、ライン３６８で示すように、計器ループ３０４上で通信モジュール３６４を介して双方向に通信するマイクロプロセッサである。計器ループアダプタ３６０は、計器ループ３０４によって給電されるその制御装置３６６を含むため、そのプログラム可能な性質によって促進される冗長性、診断及び／又は他の適当な機能の特徴を提供することができる。一つの実施態様では、ループアダプタ３６０は、プロセス変量トランスミッタ及び／又はループアダプタとのローカルユーザ対話を促進する特徴を含む。仮想線で示すディスプレイ３７０は、好ましくは、小型ＬＣＤディスプレイである。同じくユーザ入力３７２が仮想線で示され、インターフェース部１４０に隣接して又はケーブル１４２に沿ってインターフェース部１４０から離れた場所に設けられることができる。
【００２０】
図８は、本発明の実施態様の計器ループアダプタの図である。ループアダプタ３８０は、上記の電源モジュール３０８又は３６２と同一であることができる電源モジュール３８２を含む。さらには、ループアダプタ３８０は、好ましくはマイクロプロセッサである制御装置３８４を含む。計器ループアダプタ３８０は、主としてそれが複数の通信制御装置を含むという点で、上記の実施態様と異なる。図示するように、ループアダプタ３８０は、制御装置３８４とで双方向通信するために制御装置に結合され、計器ループ上での通信のために計器ループ３０４に動作的に結合された第一の通信モジュール３８６を含む。さらには、ループアダプタ３８０はまた、第二のタイプの出力にしたがって通信するための、制御装置３８４に結合された第二の通信制御装置３８８を含む。一つの実施態様では、通信制御装置３８６は、計器ループ３０４上でHART（登録商標）プロトコルにしたがって通信するように適合され、通信制御装置３８８は、FOUNDATION（商標）フィールドバス工業プロトコルにしたがって通信するように適合されている。しかし、複数の通信モジュールが異なるタイプの通信を提供する限り、通信モジュールのいかなる組み合わせを使用することもできる。多数のタイプの出力を提供するために使用される回路に関するさらなる情報は、Andersonらへの米国特許第５，２４５，３３３号に見いだすことができる。この特許は、多数のタイプの出力を種々の装置に提供することができる構造を提供する。したがって、回路板１４２は、適当な回路を使用して、プロセス変量トランスミッタが、第一のタイプの通信、たとえばＡＣ信号を用いて第一の外部装置と通信し、第二のタイプの通信、たとえばＤＣ信号を用いて第二の外部装置と通信することを許すことができる。
【００２１】
図９は、本発明のもう一つの実施態様の計器ループアダプタ４００の図である。アダプタ４００は、図２に示すようなプロセス変量トランスミッタのヘッダに結合する。アダプタ４００は、インターフェース領域１４０から離れたところに設けられたローカルインターフェース３１０を含む。ローカルユーザインターフェース４１０は、適当なＩＯ（入出力要素）、たとえば、ディスプレイ４１２、好ましくは小型ＬＣＤディスプレイ及びユーザがインターフェース領域１４０に結合されたプロセス変量トランスミッタと対話することを可能にする１個以上のボタン４１４を含む。インターフェース４１０はまた、プロセス変量トランスミッタと計器ループ上の他の装置との間の信号をモニタするための適当な回路を含むことができる。このようなモニタリングは、データロギング及び／又は予防保全を使用する解析を容易にすることができる。
【００２２】
図１０は、本発明のもう一つの実施態様の計器ループアダプタ５００の図である。ループアダプタ５００は、プロセス計器のヘッダ１３２に結合するように適合されている。アダプタ５００は、好ましくは、プロセス装置のヘッダ１３２と嵌合する形及び大きさである円柱形の側壁５０２を含む。側壁５０２は、好ましくは、キャップ５０４を備えた単一アセンブリとして成形されている。さらには、好ましくは、キャップ５０４は、好ましくはキャップ５０４及び側壁５０２とで一体成形されているヒンジ５０６を介して側壁５０２に蝶着されている。側壁５０２及びキャップ５０４は、好ましくは、アダプタ５００をヘッダ１３２にシールするのに役立つ柔軟な外側層５０８を含む。加えて、柔軟な層５０８は、側壁５０２とキャップ５０４との間のシールを容易にするのに役立つ。最後に、柔軟な外側層５０８はまた、セルフシール性ワイヤ引込み口５１０を形成するのに役立つ。柔軟な外側層は、弾性変形性である任意の材料で形成することができるが、好ましくはエラストマーで形成される。層５０８のための柔軟な材料の選択においては、その材料が、ループアダプタ５００が遭遇すると予想される温度極値で作動可能であることが重要である。さらには、ループアダプタ５００が直射日光又は他の紫外線光源に暴露されるとしても、層５０８に選択される材料は、そのような繰返し暴露に耐えることができるべきである。
【００２３】
アダプタ５００内のチャンバ５１２は、好ましくは、多数の電子コンポーネント及びヘッダ１３２上の個々のピンに結合するのに適したコネクタ５１４を含む。好ましくは、コネクタ５１４は、ヘッダ１３２中又は上の対応するコネクタと嵌合するようにサイズ決定され、適切に配置された適当なバイオネット接続である。電子コンポーネント５１６、５１８及び５２０は、所望の機能を提供するいかなる適当なコンポーネントであることもできる。たとえば、コンポーネント５１６は、１個以上の抵抗器であることができ、コンポーネント５１８は、１個以上のダイオードであることができ、コンポーネント５２０は、１個以上の絶縁コンポーネント、たとえば変圧器又はコンデンサを含むことができる。電気コンポーネント５１６、５１８及び５２０は、公知の回路中に配設されて、過渡状態保護、ＲＦＩフィルタリング、電力共用などを提供することができる。ダイオード５１８を逆極性形態に配置すると、故障状態中にプロセス装置が過度なエネルギーをプロセスループ上に不注意にダンプしないことを保証することができる。電気コンポーネント５１６、５１８及び５２０は、チャンバ５１２内にフィットするサイズの小さな回路板上に設けることができる。追加的に又は代替的に、電気コンポーネント５１６、５１８及び５２０は、チャンバ５１２の部分５２４を部分５２６から気密シールしながらさらなる放熱機能を提供することができる型５２２により、チャンバ５１２内に成形することができる。最後に、アダプタ５００はまた、好ましくは、セルフシール性である配線引込み口を含む。したがって、引込み口５１０を通過するワイヤ５２８は、ワイヤ５２８が側壁５０２を通過するとしても空気又は他のガスは側壁を通過しないように自動的に気密シールされる。チャンバ５１２内で、ワイヤ５２８は、適当なワイヤ端子５３０に結合して、フィールド配線がプロセス装置に結合することを可能にする。
【００２４】
好ましい実施態様を参照しながら本発明を説明したが、当業者は、本発明の本質及び範囲を逸することなく、形態及び詳細における変更を加えることができることを理解するであろう。
【図面の簡単な説明】
【００２５】
【図１】ヘッダ及び接続ピンを備えた小型圧力トランスミッタの断面図である。
【図２】ヘッダ上に設置されたＲＦＩ／ＥＭＩフィルタを備えたループアダプタの断面図である。
【図３】標準コードセット用のコネクタを備えたループアダプタの図である。
【図４】本発明の実施態様の、能動回路を有する計器ループアダプタの図である。
【図５】本発明の実施態様の、さらなるセンサ入力回路を有する計器ループアダプタの図である。
【図６】本発明の実施態様の、固有の安全バリヤを有する計器ループアダプタの図である。
【図７】本発明の実施態様の、制御装置を有する計器ループアダプタの図である。
【図８】本発明の実施態様の、多数のタイプの出力を有する計器ループアダプタの図である。
【図９】本発明の実施態様の計器ループアダプタの図である。
【図１０】本発明のもう一つの実施態様の計器ループアダプタの図である。
【図１】
2008524807.tif 000003
【図２】
2008524807.tif 000004
【図３】
2008524807.tif 000005
【図４】
2008524807.tif 000006
【図５】
2008524807.tif 000007
【図６】
2008524807.tif 000008
【図７】
2008524807.tif 000009
【図８】
2008524807.tif 000010
【図９】
2008524807.tif 000011
【図１０】
2008524807.tif 000012
【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
プロセス変量トランスミッタをループに結合するための計器ループアダプタであって、
プロセス変量トランスミッタのヘッダと係合するように適合されたインターフェース部と、
インターフェース部内に設けられ、能動回路をその上に有する回路板と
を含む計器ループアダプタ。
【請求項２】
能動回路がセンサ入力回路である、請求項１記載の計器ループアダプタ。
【請求項３】
センサ入力回路がＲＴＤ入力回路である、請求項２記載の計器ループアダプタ。
【請求項４】
センサ入力回路がアナログ・デジタル変換器を含む、請求項２記載の計器ループアダプタ。
【請求項５】
インターフェース部がプロセス工業規格ケーブル出力を含む、請求項１記載の計器ループアダプタ。
【請求項６】
能動回路がマイクロプロセッサを含む、請求項２記載の計器ループアダプタ。
【請求項７】
能動回路がディスプレイを含む、請求項２記載の計器ループアダプタ。
【請求項８】
能動回路が多数のタイプの出力を提供する、請求項２記載の計器ループアダプタ。
【請求項９】
回路が、第一の工業規格プロトコルにしたがってプロセス変量トランスミッタと通信し、第二の工業規格プロトコルにしたがってループ上で対話する、請求項８記載の計器ループアダプタ。
【国際調査報告】
2008524807.tif 000013
2008524807.tif 000014
2008524807.tif 000015